(57)【要約】【課題】上衣部と下衣部とが繋がった構造の幼児服を幼児への簡単に着用可能な構造とする。【解決手段】相互に係合する一対のスナップが上衣部２における前側の前身頃４ａの縁取り部８ａ及び後側の前身頃４ｂの対応位置に取り付けられると共に、下衣部３における前後の前身頃４ａ、４ｂの縁取り部８ａ、８ｂに取り付けられ、上衣部２の袖部７における脇下部分７ａが緩み付与の継ぎ布１５の縫合によって形成される。【選択図】図１
0003179588.tif 000002
【実用新案登録請求の範囲】
【請求項１】
上衣部と下衣部とが上下方向に繋がり、左右における一方の前身頃に対し、他方の前身頃が前後に重なり合う割り開き構造となっており、
相互に係合する一対のスナップが前記上衣部における前側の前身頃の縁取り部及び後側の前身頃の対応位置に取り付けられると共に、前記下衣部における前後の前身頃の縁取り部に取り付けられ、
前記上衣部の袖部における脇下部分が緩み付与の継ぎ布の縫合によって形成されていることを特徴とする幼児服。
【請求項２】
前記上衣部の後側の前身頃の上部に、前側の前身頃の方向に伸びる布テープが取り付けられ、この布テープと前側の前身頃の裏面における布テープの先端部との対応位置に、相互に係合する一対のスナップが取り付けられていることを特徴とする請求項１記載の幼児服。
【請求項３】
前記下衣部の前後の縁取り部に取り付けられる一対のスナップは、幼児の左右の脚に対応した各１箇所に取り付けられていることを特徴とする請求項１または２記載の幼児服。
【考案の詳細な説明】
【技術分野】
【０００１】
本考案は、上衣部と下衣部とが繋ぎ構造となっている幼児服に関する。
【背景技術】
【０００２】
特許文献１には、上衣部と下衣部とが繋がっており、割り開きによって着用される幼児服が記載されている。この幼児服は相互に係合する一対のスナップが上衣部における左右の前身頃の縁取り部の全長にわたって所定間隔で複数取り付けられている。下衣部は幼児の左右の脚が入るように左右の足部に分離されており、この下衣部における左右の前身頃の縁取り部の全長にわたって一対のスナップが所定間隔で複数取り付けられている。
【０００３】
この幼児服は、正面から前身頃を開いて幼児の腕を通し、下衣部の左右の足部に幼児の左右の脚をそれぞれ通した後、前身頃を重ね合わせ、上衣部の複数のスナップを嵌め合わせて係合させる。また、下衣部の複数のスナップを嵌め合わせて係合することにより幼児の左右の脚を包むようにして着用される。
【先行技術文献】
【特許文献】
【０００４】
【特許文献１】特開２００４−３５０７５１号公報
【考案の概要】
【考案が解決しようとする課題】
【０００５】
しかしながら、特許文献１に記載の幼児服においては、下衣部が左右の足部に分離されているため、幼児の脚をそれぞれの足部に通す必要があると共に下衣部の複数のスナップを嵌め合わせる作業が必要であり、着用が面倒となっている。また、幼児の腕を通す際にも、上衣部の袖部に幼児の腕が引っ掛かって通しにくくなり、同様に着用が面倒となっている。
【０００６】
本考案は、このような問題点を考慮してなされたものであり、上衣部と下衣部とが繋がった構造の幼児服において、幼児への着用を簡単に行うことが可能な幼児服を提供することを目的とする。
【課題を解決するための手段】
【０００７】
本考案の幼児服は、上衣部と下衣部とが上下方向に繋がり、左右における一方の前身頃に対し、他方の前身頃が前後に重なり合う割り開き構造となっており、相互に係合する一対のスナップが前記上衣部における前側の前身頃の縁取り部及び後側の前身頃の対応位置に取り付けられると共に、前記下衣部における前後の前身頃の縁取り部に取り付けられ、前記上衣部の袖部における脇下部分が緩み付与の継ぎ布の縫合によって形成されていることを特徴とする。
【０００８】
この場合、前記上衣部の後側の前身頃の上部に、前側の前身頃の方向に伸びる布テープが取り付けられ、この布テープと前側の前身頃の裏面における布テープの先端部との対応位置に、相互に係合する一対のスナップが取り付けられていることが好ましい。
また、前記下衣部の前後の縁取り部に取り付けられる一対のスナップは、幼児の左右の脚に対応した各１箇所に取り付けられていることが好ましい。
【考案の効果】
【０００９】
本考案の幼児服は、正面から前身頃を開いて幼児の腕を通した後、上衣部のスナップを嵌め合わせて係合させることにより幼児の体を包む、下衣部においては、スナップを嵌め合わせて係合させるだけで幼児の左右のそれぞれの脚を包むことができる。また、袖部の脇下部分は、緩み付与の継ぎ布が縫合されることにより形成されているため、幼児の腕を通す際に脇下部分が適宜、伸びるため、幼児の腕が引っ掛かることがない。これらにより幼児への着用を簡単に行うことができ、使用上便利となる。
【図面の簡単な説明】
【００１０】
【図１】本発明の一実施形態の幼児服を正面から示す斜視図である。
【図２】図１のＡ部拡大図である。
【図３】図１で左前見頃を開いた状態を示す斜視図である。
【考案を実施するための形態】
【００１１】
図１、図２及び図３は、本考案の幼児服１を示す全体の正面からの斜視図、図１のＡ分拡大図、図１で左前見頃を開いた状態を示す斜視図である。
【００１２】
幼児服１は、前身頃４及び後身頃５の両方が上衣部２及び下衣部３を上下方向に連続するように繋げることにより形成されている。上衣部２は襟部６及び左右の袖部７を有しており、幼児の胸及び腹に対応する。これに対し、下衣部３は幼児の腰、股及び脚に対応する。上衣部２及び下衣部３が連続した構造となっていることにより、前身頃４は右前身頃４ａ及び左前身頃４ｂによって形成されている。着用時には、左右の前身頃４ａ、４ｂを割り開いた状態とした後、右前身頃４ａが後側に位置し、左前身頃４ｂが前側に位置した重なり状態とすることにより幼児の体を包むように使用する。
【００１３】
前身頃４の縁部分には、縁取り部８が形成されている。符号８ａは右前身頃４ａ側に形成された右側縁取り部、符号８ｂは左前身頃４ｂ側に形成された左側縁取り部である。これらの縁取り部８ａ、８ｂは、柔軟な布材を縫合することにより形成されている。
【００１４】
前身頃４には、相互に嵌め合わせられることにより係合する一対のスナップ（スナップボタン）が取り付けられる。図１において、符号１１は前身頃４の上衣部２に設けられた一方のスナップであり、左前身頃４ｂの左側縁取り部８ｂに取り付けられている。これと対となって嵌め合わせられる他方のスナップは右前身頃４ａの対応位置に取り付けられる。スナップ１１は上衣部２に対して所定間隔を有して３箇所に取り付けられている。スナップ１１を嵌め合わせて係合することにより上衣部２における左右の前身頃４ａ、４ｂが閉じられる。
【００１５】
符号１２は前身頃４の下衣部３に設けられた一対のスナップであり、下衣部３の前後の縁取り部８ａ、８ｂに取り付けられている。スナップ１２は幼児の左右の脚のそれぞれに対応して設けられるものであり、幼児の左右の脚に対応した各１箇所に取り付けられている。下衣部３の下端部は幅方向の全体にわたって開放されており、幼児の脚を下衣部３に通した後、この一対のスナップ１２を嵌め合わせて係合させることにより左右の脚が分かれた状態で包まれる。このような構造では、従来のように幼児の左右の脚を通すための左右の足部を形成する必要がなく、足部に幼児の脚を通す必要がなくなる。このため幼児の脚に対する着用が簡単となる。
【００１６】
図２は図１のＡ部拡大図で、上衣部２における左側の袖部７を示す。袖部７は幼児の腕を通すように用いられる。この実施形態において、袖部７の脇下部分７ａは継ぎ布１５が縫合されることより形成されている。継ぎ布１５は通常の袖部の脇下部分の寸法よりも幾分、大きな布片となっており、この布片の周縁部をこの実施形態の幼児服１における袖部７の脇下部分７ａに縫合することにより脇下部分７ａを形成するようになっている。このような継ぎ布１５は脇下部分７ａに緩み付与を行うものであり、脇下部分７ａに伸縮自在な柔軟性を有している。このような構造とすることにより、幼児の腕を袖部７に通すときに継ぎ布１５からなる脇下部分７ａが伸びるため、腕が袖部７に引っ掛かることがなく、袖部への着用を簡単に行うことができる。
【００１７】
図３は図１で左前見頃を開いた状態を示す斜視図で、前身頃４における上衣部２の重ね合わせ部分を示す。前身頃４の重ね合わせの際には右前身頃４ａが後側に重ねられる。この後側に重ねられる右前身頃４ａの上部には、布テープ１７が取り付けられている。布テープ１７は前側に重ねられる左前身頃４ｂの方向に伸びている。布テープ１７にはスナップ１３が取り付けられており、スナップ１３と対となるスナップ（図３の引出し円内に示す）は左前身頃４ｂの対応位置に取り付けられている。これら一対のスナップ１３を嵌め合わせて係合させることにより、上衣部２における右前身頃４ａと左前身頃４ｂの重ね合わせ状態を保持することができる。これにより不用意に右前身頃４ａと左前身頃４ｂとが重ね合わせ状態からずれることなく、幼児の胸及び腹を包むことができる。
【００１８】
このような実施形態の幼児服１は、スナップ１１、１２、１３の係合を外して左右の前身頃４ａ、４ｂを割り開き状態とし、幼児の腕を左右の袖部７に通す。このとき、緩み付与の継ぎ布１５によって袖部７の脇下部分７ａが形成されているため、幼児の腕が引っ掛かることがなく簡単に袖部７を通すことができる。その後においては、布テープ１７及び左前身頃４ｂのスナップを係合させて左前身頃４ｂを右前身頃４ａに重ね合わせる。そして、上衣部２における縁取り部８ａ、８ｂに設けたスナップを係合させると共に、下衣部３におけるスナップ１２を係合させる。下衣部３におけるスナップ１２を係合させることにより幼児の左右の脚をそれぞれ包むことができるため、幼児の脚に対する着用を簡単に行うことができる。
【００１９】
上記実施形態では、右前身頃４ａが後側に位置し、左前身頃４ｂが前側に位置するように重ね合わせる構造となっているが、左前身頃４ｂが後側に位置し、右前身頃４ａが前側に位置するように重ね合わせる構造としても良い。
【符号の説明】
【００２０】
１    幼児服
２    上衣部
３    下衣部
４    前身頃
４ａ    右前身頃
４ｂ    左前身頃
５    後身頃
６    襟部
７    袖部
７ａ    脇下部分
８    縁取り部
８ａ    右側縁取り部
８ｂ    左側縁取り部
１１、１２、１３    スナップ
１５    継ぎ布
１７    布テープ
【図１】
0003179588.tif 000003
【図２】
0003179588.tif 000004
【図３】
0003179588.tif 000005